【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
符号化されたビデオビットストリームから、仮想参照デコーダ（ＨＲＤ）パラメータを各々が含む複数のＨＲＤパラメータシンタックス構造を含むビデオパラメータセット（ＶＰＳ）を復号することと、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、前記符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記ＨＲＤパラメータシンタックス構造のうちの少なくとも１つの前記ＨＲＤパラメータを使って動作を実施することと
を備える方法。
【請求項２】
前記複数のＨＲＤパラメータシンタックス構造中の特定のＨＲＤパラメータシンタックス構造が前記ＨＲＤパラメータの共通セットを含まないと決定することを更に備え、
ここにおいて、前記ＨＲＤパラメータシンタックス構造のうちの少なくとも１つの前記ＨＲＤパラメータを使って前記動作を実施することは、前記複数のＨＲＤパラメータシンタックス構造中の前のＨＲＤパラメータシンタックス構造に含まれる前記ＨＲＤパラメータの共通セットと、前記特定のＨＲＤパラメータシンタックス構造の追加ＨＲＤパラメータとを使って前記動作を実施することを備える、請求項１に記載の方法。
【請求項３】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、請求項１に記載の方法。
【請求項４】
前記ＶＰＳ中に含まれる前記ＨＲＤパラメータシンタックス構造のうちの少なくとも１つは、前記ＨＲＤパラメータの共通セットを含まない、請求項１に記載の方法。
【請求項５】
前記ＨＲＤパラメータシンタックス構造の各々は、前記符号化されたビデオビットストリームの動作点に適用可能である、請求項１に記載の方法。
【請求項６】
前記ＨＲＤパラメータシンタックス構造のうちの少なくとも１つは、前記符号化されたビデオビットストリームの複数の動作点に適用可能である、請求項１に記載の方法。
【請求項７】
ビデオ復号機器であって、
データを記憶するように構成されたメモリと、前記データは、符号化されたビデオビットストリームを含む、
前記符号化されたビデオビットストリームから、仮想参照デコーダ（ＨＲＤ）パラメータを各々が含む複数のＨＲＤパラメータシンタックス構造を含むビデオパラメータセット（ＶＰＳ）を復号し、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、前記符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記ＨＲＤパラメータシンタックス構造のうちの少なくとも１つの前記ＨＲＤパラメータを使って動作を実施する
ように構成された１つ又は複数のプロセッサと
を備える、ビデオ復号機器。
【請求項８】
前記１つ又は複数のプロセッサは、
前記複数のＨＲＤパラメータシンタックス構造中の特定のＨＲＤパラメータシンタックス構造が前記ＨＲＤパラメータの共通セットを含まないと決定し、
前記複数のＨＲＤパラメータシンタックス構造中の前のＨＲＤパラメータシンタックス構造に含まれる前記ＨＲＤパラメータの共通セットと、前記特定のＨＲＤパラメータシンタックス構造の追加ＨＲＤパラメータとを使って前記動作を実施する
ように更に構成される、請求項７に記載のビデオ復号機器。
【請求項９】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、請求項７に記載のビデオ復号機器。
【請求項１０】
前記ＶＰＳ中に含まれる前記ＨＲＤパラメータシンタックス構造のうちの少なくとも１つは、前記ＨＲＤパラメータの共通セットを含まない、請求項７に記載のビデオ復号機器。
【請求項１１】
前記ＨＲＤパラメータシンタックス構造の各々は、前記符号化されたビデオビットストリームの動作点に適用可能である、請求項７に記載のビデオ復号機器。
【請求項１２】
前記ＨＲＤパラメータシンタックス構造のうちの少なくとも１つは、前記符号化されたビデオビットストリームの複数の動作点に適用可能である、請求項７に記載のビデオ復号機器。
【請求項１３】
符号化されたビデオビットストリームから、仮想参照デコーダ（ＨＲＤ）パラメータを各々が含む複数のＨＲＤパラメータシンタックス構造を含むビデオパラメータセット（ＶＰＳ）を復号するための手段と、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、前記符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記ＨＲＤパラメータシンタックス構造のうちの少なくとも１つの前記ＨＲＤパラメータを使って動作を実施するための手段と
を備えるビデオ復号機器。
【請求項１４】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、
前記ＨＲＤパラメータシンタックス構造の各々は、前記符号化されたビデオビットストリームの動作点に適用可能である、請求項１３に記載のビデオ復号機器。
【請求項１５】
命令を記憶するコンピュータ可読記憶媒体であって、前記命令は、ビデオ復号機器によって実行されると、前記ビデオ復号機器を、
符号化されたビデオビットストリームから、仮想参照デコーダ（ＨＲＤ）パラメータを各々が含む複数のＨＲＤパラメータシンタックス構造を含むビデオパラメータセット（ＶＰＳ）を復号し、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、前記符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記ＨＲＤパラメータシンタックス構造のうちの少なくとも１つの前記ＨＲＤパラメータを使って動作を実施する
ように構成する、コンピュータ可読記憶媒体。
【請求項１６】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、
前記ＨＲＤパラメータシンタックス構造の各々は、前記符号化されたビデオビットストリームの動作点に適用可能である、請求項１５に記載のコンピュータ可読記憶媒体。
【請求項１７】
ビデオデータを符号化する方法であって、
仮想参照デコーダ（ＨＲＤ）パラメータを各々が含む複数のＨＲＤパラメータシンタックス構造を含むビデオパラメータセット（ＶＰＳ）を生成することと、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、前記ビデオデータの符号化されたピクチャを備える符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記符号化されたビデオビットストリーム中で前記ＶＰＳを信号伝達することと
を備える方法。
【請求項１８】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、請求項１７に記載の方法。
【請求項１９】
前記ＶＰＳ中に含まれる前記ＨＲＤパラメータシンタックス構造のうちの少なくとも１つは、前記ＨＲＤパラメータの共通セットを含まない、請求項１７に記載の方法。
【請求項２０】
ビデオ符号化機器であって、
ビデオデータを記憶するように構成されたデータ記憶媒体と、
仮想参照デコーダ（ＨＲＤ）パラメータを各々が含む複数のＨＲＤパラメータシンタックス構造を含むビデオパラメータセット（ＶＰＳ）を生成し、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、前記ビデオデータの符号化されたピクチャを備える符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記符号化されたビデオビットストリーム中で前記ＶＰＳを信号伝達する
ように構成された１つ又は複数のプロセッサと
を備える、ビデオ符号化機器。
【請求項２１】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、請求項２０に記載のビデオ符号化機器。
【請求項２２】
前記ＶＰＳ中に含まれる前記ＨＲＤパラメータシンタックス構造のうちの少なくとも１つは、前記ＨＲＤパラメータの共通セットを含まない、請求項２０に記載のビデオ符号化機器。
【請求項２３】
仮想参照デコーダ（ＨＲＤ）パラメータを各々が含む複数のＨＲＤパラメータシンタックス構造を含むビデオパラメータセット（ＶＰＳ）を生成するための手段と、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、ビデオデータの符号化されたピクチャを備える符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記符号化されたビデオビットストリーム中で前記ＶＰＳを信号伝達するための手段と
を備えるビデオ符号化機器。
【請求項２４】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、
前記ＨＲＤパラメータシンタックス構造の各々は、前記符号化されたビデオビットストリームの動作点に適用可能である、請求項２３に記載のビデオ符号化機器。
【請求項２５】
命令を記憶するコンピュータ可読記憶媒体であって、前記命令は、ビデオ符号化機器によって実行されると、前記ビデオ符号化機器を、
仮想参照デコーダ（ＨＲＤ）パラメータを各々が含む複数のＨＲＤパラメータシンタックス構造を含むビデオパラメータセット（ＶＰＳ）を生成し、ここにおいて、前記ＶＰＳに含まれる第１のＨＲＤパラメータシンタックス構造以外の前記複数のＨＲＤパラメータシンタックス構造中のそれぞれのＨＲＤパラメータシンタックス構造について、前記ＶＰＳは、前記それぞれのＨＲＤパラメータシンタックス構造の前記ＨＲＤパラメータがＨＲＤパラメータの共通セットを含むかどうかを示すシンタックス要素を更に含み、ここにおいて、前記ＨＲＤパラメータの共通セットは、ビデオデータの符号化されたピクチャを備える符号化されたビデオビットストリームの全てのサブレイヤに共通であり、前記ＶＰＳに含まれる前記第１のＨＲＤパラメータシンタックス構造は、前記ＨＲＤパラメータの共通セットを含む、
前記符号化されたビデオビットストリーム中で前記ＶＰＳを信号伝達する
ように構成する、コンピュータ可読記憶媒体。
【請求項２６】
前記ＶＰＳ中に含まれる後続のＨＲＤパラメータシンタックス構造は、前記ＨＲＤパラメータの共通セットを含み、前記後続のＨＲＤパラメータシンタックス構造に含まれる前記ＨＲＤパラメータの共通セットは、前記ＶＰＳに含まれる前記第１のＨＲＤパラメータシンタックス構造に含まれる前記ＨＲＤパラメータの共通セットとは異なる、
前記ＨＲＤパラメータシンタックス構造の各々は、前記符号化されたビデオビットストリームの動作点に適用可能である、請求項２５に記載のコンピュータ可読記憶媒体。
【請求項２７】
前記ビデオ復号機器は、
集積回路、
マイクロプロセッサ、または
ワイヤレス通信機器
のうちの少なくとも１つを備える、請求項７に記載のビデオ復号機器。
【請求項２８】
前記ビデオ符号化機器は、
集積回路、
マイクロプロセッサ、または
ワイヤレス通信機器
のうちの少なくとも１つを備える、請求項２０に記載のビデオ符号化機器。
【請求項２９】
前記復号されたビデオデータを表示するように構成された表示装置を更に備える、請求項７に記載のビデオ復号機器。
【請求項３０】
前記ビデオデータを撮像するように構成されたカメラを更に備える、請求項２０に記載のビデオ符号化機器。
【請求項３１】
前記ＨＲＤパラメータシンタックス構造の各々は、前記符号化されたビデオビットストリームの特定のサブレイヤに固有のサブレイヤ固有ＨＲＤパラメータ情報のセットを常に含む、請求項１に記載の方法。
【請求項３２】
前記ＨＲＤパラメータシンタックス構造の各々は、前記符号化されたビデオビットストリームの特定のサブレイヤに固有のサブレイヤ固有ＨＲＤパラメータ情報のセットを常に含む、請求項７に記載のビデオ復号機器。
【請求項３３】
前記ＨＲＤパラメータシンタックス構造の各々は、前記符号化されたビデオビットストリームの特定のサブレイヤに固有のサブレイヤ固有ＨＲＤパラメータ情報のセットを常に含む、請求項１７に記載の方法。
【請求項３４】
前記ＨＲＤパラメータシンタックス構造の各々は、前記符号化されたビデオビットストリームの特定のサブレイヤに固有のサブレイヤ固有ＨＲＤパラメータ情報のセットを常に含む、請求項２０に記載のビデオ符号化機器。
【請求項３５】
前記ＨＲＤパラメータシンタックス構造の各々は、前記符号化されたビデオビットストリームの特定のサブレイヤに固有のサブレイヤ固有ＨＲＤパラメータ情報のセットを常に含む、請求項２３に記載のビデオ符号化機器。
【請求項３６】
前記ＨＲＤパラメータシンタックス構造の各々は、前記符号化されたビデオビットストリームの特定のサブレイヤに固有のサブレイヤ固有ＨＲＤパラメータ情報のセットを常に含む、請求項２５に記載のコンピュータ可読記憶媒体。